(57)【要約】【課題】着用中におけるヨレや位置ズレを防止でき、予定した吸収性能や液漏れ防止性能を安定して発現させることができる吸収性物品を提供すること。【解決手段】液保持性の吸収層及び液不透過性の防漏層を備え、実質的に縦長に形成されており、非肌当接面に粘着層Ｒが設けられており、且つ長手方向の両側部における肌当接面に粘着部Ｐ，Ｐが設けられている。【選択図】　　図３
2004135884.tif 000002
【特許請求の範囲】
【請求項１】
液保持性の吸収層及び液不透過性の防漏層を備え、実質的に縦長に形成されている吸収性物品において、
非肌当接面に粘着層が設けられており、且つ長手方向の両側部における肌当接面に粘着部が設けられている吸収性物品。
【請求項２】
長手方向の両側部に一対の防漏壁が設けられており、前記粘着部が、該各防漏壁の肌当接面に設けられている請求項１記載の吸収性物品。
【請求項３】
長手方向の両側部に、着用時にショーツ等の下着の外表面側に配置固定されるウイング部を有しており、該各ウイング部は、該下着に当接させない側の面に剥離処理が施されており、該各ウイング部が該吸収層の肌当接面側に折り返され該各ウイング部により前記粘着部が被覆保護されている請求項１又は２記載の吸収性物品。
【請求項４】
長手方向の両側部に、着用時に着用者の肌に当接される一対のフラップ部を有しており、前記粘着部が、該各フラップ部の肌当接面に設けられている請求項１記載の吸収性物品。
【請求項５】
液保持性の吸収層及び液不透過性の防漏層を備え、実質的に縦長に形成されており、長手方向の両側部に一対の防漏壁及び一対のウイング部を有しており、非肌当接面に粘着層が設けられており、該各防漏壁の肌当接面に粘着部が設けられている吸収性物品の製造方法であって、
前記ウイング部に粘着剤を塗工する工程と、該ウイング部を折り返して該ウイング部上の該粘着剤を前記防漏壁の肌当接面上に転写させる工程を具備する吸収性物品の製造方法。
【発明の詳細な説明】
【０００１】
【発明の属する技術分野】
本発明は、生理用ナプキン、パンティライナー、失禁パッド等の吸収性物品に関し、更に詳しくは、着用中におけるヨレや位置ズレを防止でき、予定した吸収性能や液漏れ防止性能を安定して発現させることができる吸収性物品に関する。
【０００２】
【従来の技術及び発明が解決しようとする課題】
従来、生理用ナプキンやパンティライナー等の吸収性物品として、着用者の皮膚に接着して用いるものが知られている。
例えば特表２０００−５０５６９７号公報（特許文献１）には、身体からの液体の吸収が必要な部分において、着用者の皮膚に直接取り付けて着用される使い捨て吸収性用品が記載されている。また、特表２０００−５０５７０１号公報（特許文献２）には、皮膚に取り付けるために吸収体製品に塗布されて用いられる局所的接着剤が記載されている。
しかし、従来のものは、着用者の皮膚にのみ接着するように設計されており、その接着のみで吸収性物品を安定化させるには、皮膚への接着に強い接着強度が必要であるため、身体から引き剥がす際に皮膚に痛みや強い刺激を与える恐れがある。また、皮膚への接着により位置ズレを低減させることはできるが、着用中に変形やヨレが生じ易く、違和感を感じたり、着用者の液排出部と吸収性物品の液吸収面との間に隙間が生じ、予定した吸収性能や漏れ防止性能が充分に発現されない恐れがある。
【０００３】
従って、本発明の目的は、着用中におけるヨレや位置ズレを防止でき、予定した吸収性能や液漏れ防止性能を安定して発現させることができる吸収性物品を提供することにある。
【０００４】
【特許文献１】
特表２０００−５０５６９７号公報
【特許文献２】
特表２０００−５０５７０１号公報
【０００５】
【課題を解決するための手段】
本発明は、液保持性の吸収層及び液不透過性の防漏層を備え、実質的に縦長に形成された吸収性物品において、非肌当接面に粘着層が設けられており、且つ長手方向の両側部における肌当接面に粘着部が設けられている吸収性物品を提供することにより上記の目的を達成したものである。
【０００６】
【発明の実施の形態】
以下、本発明をその好ましい実施形態に基づき説明する。
本発明の第１実施形態としての生理用ナプキン１は、図１及び図２に示すように、液保持性の吸収層及び液不透過性の防漏層を備え、実質的に縦長に形成されており、前記吸収層は、液透過性の表面シート２及び液保持性の吸収体４からなり、前記防漏層は、液不透過性の裏面シート３からなる。吸収体４は、表面シート２と裏面シート３との間に介在されている。
また、ナプキン１の長手方向の両側部には、ナプキン１の長手方向に沿って一対の防漏壁５，５が設けられている。
【０００７】
表面シート２は、吸収体４の上面の全域を被覆し且つ吸収体４の側縁を覆って裏面シート側へ巻き込まれている。裏面シート３は、吸収体４の下面を被覆している。裏面シート３は、吸収体４の側縁から外方に延出してサイドフラップ６を形成している。サイドフラップ６は、ナプキン１の排泄部対向部Ａの一部において、更に大きく外方へ延出して一対のウイング７を形成している。表面シート２及び裏面シート３はそれぞれ吸収体４の前後端から延出し、その延出部分において互いに接合されてエンドシール部８を形成している。吸収体４の表面シート２側には、吸収体４と表面シート２とが一体的に圧密化されて形成された防漏溝９が形成されている。
ナプキン１は、着用時に着用者の液排泄部に対向配置される部位である排泄部対向部Ａと、排泄部対向部Ａよりも着用者の腹側（前側）に配される前方部Ｂと、排泄部対向部Ａよりも着用者の背側（後側）に配される後方部Ｃとを有している。
【０００８】
防漏壁５は、排泄部対向部Ａに形成されている。防漏壁５は、図２に示すように、吸収体４の側縁の近傍から起立した基壁部５１とその上端部に断面Ｔ字状に連設された面状の弾性伸縮部５２とからなる。
弾性伸縮部５２は、基壁部５１の上端部Ｊからナプキン１の幅方向内方に張り出す内方張出部５３と、該上端部Ｊからナプキン１の幅方向外方に張り出す外方張出部５４とを有している。弾性伸縮部５２には、その長手方向に沿って糸状弾性部材５５が複数本配されてギャザーが形成されており、弾性伸縮部５２の上面が、着用者の肌に面状に当接する。
【０００９】
本実施形態のナプキン１は、防漏壁５の肌当接面（弾性伸縮部の前記上面）に、粘着部Ｐが設けられている。
粘着部Ｐは、図１及び図２に示すように、各防漏壁５の肌当接面の全幅に亘って設けられており且つ防漏壁５の長手方向に４０〜６０ｍｍ程度の長さに亘って設けられている。本発明における粘着部Ｐは、ナプキン（吸収性物品）長手方向の長さＬ１（図１参照）が２０〜６０ｍｍ、特に４０〜５０ｍｍであることが、着用者の液排泄部に対する位置ズレを防止する等の観点から好ましく、ナプキン（吸収性物品）幅方向の各粘着部Ｐの幅Ｗ（図２参照）は１０〜２５ｍｍ、特に１５〜２０ｍｍであることが同様の観点から好ましい。
【００１０】
粘着部Ｐは、図２に示すように、弾性伸縮部５２の上面（肌当接面）に粘着剤を塗工して形成されている。尚、粘着剤を塗工という表現には、直接塗工する場合の他、他の部材に塗工した粘着剤を転写（移行）させる場合も含まれる。
粘着部Ｐ形成用の粘着剤としては、肌に対して適用される各種公知のものを特に制限なく用いることができ、例えば、特表２０００−５０５６９７号公報、特表２０００−５０５７０１号公報、実開平６−９６２２号公報に記載の粘着剤（接着剤と表現されているものも含む）を用いることができる。
【００１１】
粘着部Ｐ形成用の粘着剤は、肌への刺激が少なく、粘着剤として経時的に安定であり、且つ安価材料を選定する観点から、スチレン・エチレン・ブチレン・スチレンブロック共重合体（ＳＥＢＳ）又はスチレン・エチレン・プロピレン・スチレンブロック共重合体（ＳＥＰＳ）を３０〜７０重量％、水添された炭化水素系樹脂を４０〜６０重量％、及びプロセスオイルを５〜１５重量％を含有する粘着剤が特に好ましい。
【００１２】
粘着剤の塗工量は、肌に対する充分な粘着性を得る観点から２０〜８０ｇ／ｍ２が好ましく、特に３０〜５０ｇ／ｍ２が好ましい。
【００１３】
粘着部Ｐ形成用の粘着剤の塗工パターンは、べた塗り、粘着剤を散点状に配したドットパターン、細幅線状又は帯状の粘着剤を多数平行状に配したパターン、細幅線状の粘着剤を螺旋状に配したパターン、斜めストライプ、格子パターン等とすることができ、特にべた塗り又はドットパターンが好ましい。
【００１４】
本実施形態のナプキン１の非肌当接面には、ナプキン１をショーツ等の下着に固定するための粘着層Ｒが設けられている。
粘着層Ｒは、裏面シート３の吸収体４とは反対側の面に粘着剤を塗工して形成されている。
粘着層Ｒ形成用の粘着剤としては、生理用ナプキンをショーツ等の下着に固定するために従来用いられている各種公知の粘着剤（接着剤と表現されているものも含む）を特に制限なく用いることができる。その塗工量及び塗工パターンも従来と同様とすることができる。
【００１５】
粘着層Ｒは、ナプキン長手方向の長さＬ２（図３参照）が、粘着部Ｐの同方向の全長Ｌ１（図２参照）に亘っている。また、粘着層Ｒは、一対の粘着部Ｐ，Ｐ同士間に亘るように形成されている。尚、本実施形態の粘着層Ｒは、各々ナプキンの幅方向に延びる帯状粘着層を、ナプキン１の長手方向に多数直列に配して形成されている。
【００１６】
本実施形態のナプキン１によれば、粘着部Ｐ，Ｐにより、ナプキンの両側部における肌当接面が、着用者の液排出部両側の肌に固定されるため、着用中における位置ズレの発生が防止される。しかも、粘着層Ｒによりナプキンの非肌当接面側がショーツ等の下着に固定され、ナプキンとショーツとの間に摩擦が生じにくくなるため、着用中におけるヨレの発生が防止される。そして、これらの粘着部Ｐ，Ｐ及び粘着層Ｒによって、着用者の液排泄部（膣口や尿道口）とナプキンの吸収面との間に隙間が生じることや、両側部が肌から離れること等による吸収性能や漏れ防止性能の低下が防止され、これらの作用によって、予定した吸収性能や液漏れ防止性能が安定して発現される。
【００１７】
しかも、前記粘着部Ｐ，Ｐ及び前記粘着層Ｒによってナプキンが着用者の肌及び下着の両方に固定されるため、肌に対する粘着力（接着強度）は、ナプキンがズレない程度の弱い粘着力（接着強度）で足りる。そのため、粘着部Ｐの粘着力（接着強度）を、皮膚にのみ接着して用いる従来の吸収性物品に比べて弱く設計することができ、それにより、ナプキンを引き剥がす際の痛みや刺激の問題を解消又は大幅に軽減することができる。尚、本実施形態のナプキン１においては、粘着部Ｐ形成用の粘着剤と粘着層Ｒ形成用の粘着剤とで組成を異ならせてあり、前者の粘着力（接着強度）を後者の粘着力（接着強度）よりも低くしてある。
【００１８】
更に、本実施形態のナプキン１においては、粘着部Ｐが、特に防漏壁５の肌当接面に設けてあり、該防漏壁は、着用者の体の動きに合わせて変形するため、従来の肌当接平面（防漏壁以外の部位）に粘着剤が塗布された吸収性物品に比べ、肌との接着面にかかる剪断力が低減される。
【００１９】
本実施形態のナプキン１は、以下の方法により、既存の設備を有効活用して効率的且つ経済的に製造することができる。
先ず、図４（ａ）に示すようなナプキン本体１０、即ち、液保持性の吸収層及び液不透過性の防漏層を備え、実質的に縦長に形成されており、長手方向の両側部に一対の防漏壁５及び一対のウイング部７を有するナプキン本体１０を製造し、次いで、図４（ｂ）に示すように、該ナプキン本体１０の各ウイング部７に粘着部Ｐ形成用の粘着剤１１を塗工した後、図４（ｃ）に示すように、そのウイング部７，７を折り返して該ウイング部上の粘着剤１１を防漏壁５の肌当接面上に転写（移行）させる。
本実施形態のナプキン１におけるウイング部７は、着用時にショーツ等の下着の外表面側に配置固定されるものであり、その下着に当接される面にはウイング部粘着層が形成されている。ウイング部粘着層は、例えば、図４（ｄ）に示すように、防漏壁５の肌当接面上に折り返された状態のウイング部７に対して粘着剤１２を塗工することにより形成され、該ウイング部粘着層は、図４（ｅ）に示すように剥離シート１３で被覆されて使用時まで保護される。
【００２０】
ウイング部７には、粘着部Ｐ形成用の粘着剤１１を塗工する工程に先立ち剥離処理を施しておく。また、非肌当接面側の前記粘着層Ｒは、ナプキン本体１０の製造工程又はその後の適宜の段階で形成し、剥離シート（図示せず）で使用時まで被覆保護しておく。尚、ナプキンを個別包装する場合には、その包装材の全域又は一部に剥離処理を施したものを、前記粘着層Ｒ及び／又はウイング部粘着層を被覆保護するための前記剥離シートとして用いることもできる。
【００２１】
図４（ｅ）の形態の生理用ナプキン、即ち各ウイング部７が吸収層の肌当接面側に折り返され、各ウイング部７により粘着部Ｐが被覆保護された状態の生理用ナプキン１は、前記粘着部Ｐ，Ｐを別途用意した剥離シートで被覆保護する必要がない点で好ましい。尚、ナプキンを個別包装する場合、生理用ナプキン１は包装材と共に更に長手方向に折り畳まれてコンパクトな折り畳み体とされる。
【００２２】
次に、第２実施形態の生理用ナプキン１’について、図５を参照して説明する。第２実施形態の生理用ナプキン１’については、上述した生理用ナプキン１と異なる点について説明し、同様の点については説明を省略する。
【００２３】
第２実施形態のナプキン１’においては、吸収体の肌当接面側が、表面シート２及びその両側に配された撥水性サイドシート１４に被覆されており、吸収体の非肌当接面側が、裏面シート３に被覆されている。そして、表面シート２及び／又は撥水性サイドシート１４と裏面シート３とが吸収体の周囲において、ヒートシール等の公知の接合方法により接合されて周縁シール部１５が形成されている。撥水性サイドシート１４及び／又は裏面シート３は、ナプキンの長手方向中央部付近において、吸収体の長手方向両側縁部よりも大きく延出して、生理用ナプキン１’の長手方向両側部に、着用時に着用者の肌面に沿って配されて該肌面に当接される一対のフラップ部１６，１６を形成している。
【００２４】
第２実施形態のナプキン１’においては、一対のフラップ部１６それぞれの肌当接面に、第１実施形態における粘着部Ｐ形成用の粘着剤と同様の粘着剤が塗布されて、粘着部Ｐと同様の粘着部Ｐ’が設けられている。また、裏面シートの吸収体とは反対側の面（非肌当接面）には、第１実施形態における粘着層Ｒと同様の粘着層（図示せず）が設けられている。第２実施形態のナプキン１’によれば、第１実施形態のナプキン１’と同様の作用効果が奏し得られる。尚、本実施形態のナプキン１’におけるフラップ部１６は、肌当接面（表面シート）側に、肌と接着固定するための粘着剤があるため、公知のナプキンにおける通常のウイング部とは異なり、下着を包み込むように使用されることはない。フラップ部１６の非肌当接面には粘着層は設けない。
【００２５】
第１及び第２実施形態の生理用ナプキンの形成材料について説明すると、表面シート２、吸収体４、裏面シート３、防漏壁形成用のシート材及び弾性部材、撥水性サイドシート等としては、それぞれ、生理用ナプキン、失禁パッド等の吸収性物品に従来用いられている各種公知の材料を用いることができる。
【００２６】
本発明は、前記両実施形態に制限されず、本発明の趣旨を逸脱しない範囲において種々変更可能である。
例えば、第１実施形態の生理用ナプキン１は、図６に示すようにウイング部のない形態とすることもできる。また、着用者の肌に固定するための粘着部Ｐは、両側部における肌当接面にあれば良く、防漏壁やフラップ以外の部位に設けられていても良く、更には、ナプキンの肌当接面の中央部全周を囲むように形成することもできる。
また、第２実施形態のナプキン１’におけるフラップ部１６は、ナプキンの前方部又は後方部の両側部に設けることもできる。
尚、本発明の吸収性物品は、生理用ナプキンの他、パンティライナー、失禁パッド等であっても良い。
【００２７】
【発明の効果】
本発明の吸収性物品によれば、着用中におけるヨレや位置ズレを防止でき、予定した吸収性能や液漏れ防止性能を安定して発現させることができる。
【図面の簡単な説明】
【図１】図１は、本発明の一実施形態としての生理用ナプキンの自然状態を示す斜視図である。
【図２】図２は、図１のＸ−Ｘ線断面を模式的に示す断面図である。
【図３】図３は、図１の生理用ナプキンを裏面シート側から見た状態を示す平面図である。
【図４】図４は、図１の生理用ナプキンの好ましい製造方法の例を示す概略工程図である。
【図５】図５は、本発明の他の実施形態としての生理用ナプキンの自然状態を示す斜視図である。
【図６】図６は、本発明の更に他の実施形態としての生理用ナプキンを示す斜視図（図１相当図）である。
【符号の説明】
１、１’　生理用ナプキン（吸収性物品）
２　表面シート
３　裏面シート
４　吸収体
５　防漏壁
５１　基壁部
５２　弾性伸縮部
７　ウイング部
Ｐ，Ｐ’　粘着部
Ｒ　粘着層
Ａ　排泄部対向部
【図１】
2004135884.tif 000003
【図２】
2004135884.tif 000004
【図３】
2004135884.tif 000005
【図４】
2004135884.tif 000006
【図５】
2004135884.tif 000007
【図６】
2004135884.tif 000008